(57)【要約】【課題】刈刃は、刈刃取付プレートに対して揺動自在に取付けられ、この取付用ボルトに対するスパナ等の工具掛けが行い難く、刈刃の取付位置としてもモーアデッキの底部等にあって、刈刃交換等の作業の行い難い形態にある。【解決手段】上側に刈刃１取付用ボルト２のナット３部を嵌合案内する幅のボルト案内溝４を形成したＣ形状断面形態の刈刃ソケット５と、この刈刃ソケット５の基部に突出のハンドル６とからなり、この刈刃ソケット５を、ボルト２締めして取付けられる刈刃１と、この刈刃取付プレート７の先端部との間にわたって嵌合して刈刃１を回り止めすることを特徴とする刈取機の刈刃交換工具の構成とする。【選択図】図１
2008054568.tif 000002
【特許請求の範囲】
【請求項１】
上側に刈刃（１）取付用ボルト（２）のナット（３）部を嵌合案内する幅のボルト案内溝（４）を形成したＣ形状断面形態の刈刃ソケット（５）と、この刈刃ソケット（５）の基部に突出のハンドル（６）とからなり、この刈刃ソケット（５）を、ボルト（２）締めして取付けられる刈刃（１）と、この刈刃取付プレート（７）の先端部との間にわたって嵌合して刈刃（１）を回り止めすることを特徴とする刈取機の刈刃交換工具。
【請求項２】
前記ボルト案内溝（４）と対向する下側には、ボルト（２）を受けるソケット底面（８）を形成したことを特徴とする請求項１に記載の刈取機の刈刃交換工具。
【発明の詳細な説明】
【技術分野】
【０００１】
刈取機の刈刃交換工具に関し、刈刃取付プレートに対する刈刃の着脱、乃至交換を簡単、容易化するものである。
【背景技術】
【０００２】
刈取軸下端部の刈刃取付プレートの先端部に、刈刃をボルト締めによって揺動自在に取付ける技術（例えば、特許文献１参照）が知られている。このような刈刃の着脱には、複数のスパナや、メガネレンチ等を用いて、このボルトの着脱操作を行う。
【特許文献１】実用新案登録第３００５４１８号公報（第５頁，図１）。
【発明の開示】
【発明が解決しようとする課題】
【０００３】
刈刃は、刈刃取付プレートに対して揺動自在に取付けられ、この取付用ボルトに対するスパナ等の工具掛けが行い難く、刈刃の取付位置としてもモーアデッキの底部等にあって、刈刃交換等の作業の行い難い形態にある。
【課題を解決するための手段】
【０００４】
請求項１に記載の発明は、上側に刈刃１取付用ボルト２のナット３部を嵌合案内する幅のボルト案内溝４を形成したＣ形状断面形態の刈刃ソケット５と、この刈刃ソケット５の基部に突出のハンドル６とからなり、この刈刃ソケット５を、ボルト２締めして取付けられる刈刃１と、この刈刃取付プレート７の先端部との間にわたって嵌合して刈刃１を回り止めすることを特徴とする刈取機の刈刃交換工具の構成とする。刈刃取付プレート７に対する刈刃１の着脱を行うときは、この刈刃取付プレート７の先端部と刈刃１との重合部のボルト２挿通部に、刈刃ソケット５を挿通嵌合して保持させると共に、このボルト２のナット３部をボルト案内溝４に位置させる。この状態でハンドル６を固定して、ボルト案内溝４上のナット３にメガネレンチ等の工具を掛けて、このナット３を回して、締め付けたり、緩める。この状態では、刈刃ソケット５が刈刃１、及び刈刃取付プレート７の間にわたって嵌合しているため、刈刃１のボルト２周りの回動は行われないで、ナット３の回動操作を的確に行わせることができる。
【０００５】
請求項２に記載の発明は、前記ボルト案内溝４と対向する下側には、ボルト２を受けるソケット底面８を形成したことを特徴とする。前記のように刈刃ソケット５を、刈刃取付プレート７の刈刃１取付部に嵌合させて、保持させると共に、ボルト２，ナット３の回動操作して、刈刃１の着脱を行うとき、このボルト２の下端部が刈刃ソケット５のソケット底面８で支持している。このため、このボルト２に対するナット３の螺合操作を行い易くし、ナット３を外したときのボルト２を着脱させないように支持する。
【発明の効果】
【０００６】
請求項１に記載の発明は、刈刃ソケット５を刈刃取付プレート７の刈刃１取付部に嵌合することによって、この刈刃１の刈刃取付プレート７に対する揺動を行わせないように固定し、この刈刃ソケット５の着脱を防止するため、メガネレンチ等の工具によってボルト案内溝４部にのぞむナット３を回動して、ボルト２，ナット３の締付、緩め回動を容易に行うことができる。又、この刈刃ソケット５の支持固定はハンドル６によって行うため、固定力の支持を行い易くし、構成簡単で、操作性を正確で、容易化できる。
請求項２に記載の発明は、前記ボルト案内溝４と対向する下側には、ボルト２を受けるソケット底面８を形成したことを特徴とする。このような刈刃１交換用の刈刃ソケット５は、取付用ボルト２の下端をソケット底面８で支持するためこのボルト２の脱落、紛失等を防止することができ、ナット３の締付、緩め回動を行い易くする。
【発明を実施するための最良の形態】
【０００７】
図１〜図４に基づいて、車体１１の腹部に装着するモーアデッキ１２は、中央部に刈刃軸１３を軸装して、車体１１後部のエンジン１４軸１５からベルト１６を介して伝動する。この刈刃軸１３の下端部に刈刃取付プレート７が取付けられて、回転周部に揺動自在の刈刃１が、ボルト２，ナット３等によって着脱自在に取付けられる。又、車体１１はハンドル１７，乗用シート１８，左右一対の前輪１９，及び後輪２０等を有して、前記エンジン１４によって伝動駆動して走行する乗用四輪走行形態の構成としている。又、このモーアデッキ１２は、平行リンク形態のリフトリンク２１，２２を介して車体１１の腹部に昇降可能に装着される。
【０００８】
前記ボルト２，ナット３による刈刃１の取付構成は、取付プレート７の下面に刈刃１を重合させて、この取付プレート７のボルト２挿通穴２５に適宜厚さのカラー２６を嵌挿し、このカラー２６を介在させて、上下のナットガード２７と刈刃１を重合させて、これらの重合中心部の穴２９，３１，及びカラー２６穴等に下側からボルト２を挿通し、このボルト２の上端部にナット３を螺挿して取付け、このカラー２６の介在によって刈刃１がボルト２周りに回動揺動自在になるように設定される。このボルト２は、下端部にボルト頭部２８を有し、刈刃１の角穴２９に嵌合する角座３０を形成する。この角座３０の厚さは、刈刃１の厚さと略同じか、若干高く形成している。前記ボルト穴２５に嵌合するカラー２６は、この刈刃１の厚さよりも若干高く形成して、下面を前記角座３０上面に支持させる。ナットガード２７は中央部にボルト穴３１を形成して、皿形状に構成され、ナット３部に対する刈取芝草等の接触を少なくする。刈刃取付プレート７の下側に刈刃１を重合させて、この取付プレート７のボルト穴２５にカラー２６を嵌合して、これらの上側にナットガード２７を重合した状態で、下側から、角穴２９，カラー２６穴部，及びナットガード２７のボルト穴３１にわたってボルト２を挿通して、この上端部からナット３を螺挿して締付ける。又、この刈刃１を取外すときは、逆にこのナット３を緩めて、ボルト２を下側へ外すことによって行われる。
【０００９】
ここにおいて、この発明に係る刈刃交換具は、上側に刈刃１取付用ボルト２のナット３部を嵌合案内する幅のボルト案内溝４を形成したＣ形状断面形態の刈刃ソケット５と、この刈刃ソケット５への基部に突出のハンドル６とからなり、この刈刃ソケット５を、ボルト２締めして取付けられる刈刃１と、この刈刃取付プレート７の先端部との間にわたって嵌合して刈刃１を回り止めすることを特徴とする刈取機の刈刃交換工具の構成とする。刈刃取付プレート７に対する刈刃１の着脱を行うときは、この刈刃取付プレート７の先端部と刈刃１との重合部のボルト２挿通部に、刈刃ソケット５を挿通嵌合して保持させると共に、このボルト２のナット３部をボルト案内溝４に位置させる。この状態でハンドル６を固定して、ボルト案内溝４上のナット３にメガネレンチ等の工具を掛けて、このナット３を回して、締め付けたり、緩める。この状態では、刈刃ソケット５が刈刃１、及び刈取取付プレート７の間にわたって嵌合しているため、刈刃１のボルト２周りの回動は行われないで、ナット３の回動操作を的確に行わせることができる。
【００１０】
又、前記ボルト案内溝４と対向する下側には、ボルト２を受けるソケット底面８を形成したことを特徴とする。前記のように刈刃ソケット５を、刈刃取付プレート７の刈刃１取付部に嵌合させて、保持させると共に、ボルト２，ナット３の回動操作して、刈刃１の着脱を行うとき、このボルト２の下端部が刈刃ソケット５のソケット底面８で支持している。このため、このボルト２に対するナット３の螺合操作を行い易くし、ナット３を外したときのボルト２を着脱させないように支持する。
【００１１】
このような刈刃ソケット５は、ハンドル６の把持操作で、刈刃１を有した刈刃取付プレート７の先端部に対して差込むことによって、この刈刃取付プレート７に嵌合保持させることができ、この取付ボルト２のナット３部をボルト案内溝４に案内することができ、片手でこのハンドル６を固定した状態で、他方の手でメガネレンチ３２等の工具を持ってこのボルト案内溝４部に位置するナット３を回動し、このナット３を緩めたり、締付けたりすることができる。このとき、刈刃１は刈刃取付プレート７と共に、刈刃ソケット５の内側に嵌合保持されるため、ボルト２の周りに回動することはなく、このボルト２の下端部の角座３０と刈刃１の角穴２９との嵌合によって、このボルト２の回り止めが正確に維持されて、このボルト２に対してナット３を回動することができる。又、このボルト２の下端部ボルト頭部２８は、ソケット底面８で受けることができるため、ボルト２の脱落を防止すると共に、刈刃１が刈刃取付プレート７の下面から離れても、これら角座３０と角穴２９との嵌合状態を維持するため、メガネレンチ３２によるナット３の回動操作を的確に行わせることができる。
【００１２】
この刈刃ソケット５を固定操作するハンドル６の先端部を、この刈刃ソケット５の内側の一端部に取付固定して、ストッパー３３を形成する。この刈刃ソケット５を刈刃取付プレート７に差込むとき、このストッパー３３が刈刃１の先端部に当接して、差込深さを規制することができる。又、この刈刃ソケット５の抜け止めのためのピン孔３４，３５を、これら刈刃取付プレート３４の先端部と刈刃ソケット６の上側片３６との差込重合部に形成して、これらのピン孔３４，３５にわたって固定ピン３７を差込んでおくことによって、刈刃ソケット５の抜け外れを防止して、確実で安全なナット４の回し操作を行うように構成することもできる。
【００１３】
前記ハンドル６は、作業者が手で把持して固定するだけではなく、このモーアデッキ１２の近くに隣接する前輪１９や後輪２０の接地部に係止させて、回り止めすることも可能で、このような場合にハンドル６が短過ぎるときは、このハンドル６に別途パイプ材等からなる補助ハンドルを差込んで継ぎ足して使用することもできる。
次に、主として図５に基づいて、前記刈刃ソケット５を角筒状形態として、先端上側にＵ字切欠形態のボルト案内溝４を形成し、ハンドル６をこの刈刃ソケット５の上側４０外側面に固定したものである。この刈刃ソケット５の差込位置は、ボルト案内溝４の奥端縁がナットガード２７部に当接して決められる。
【００１４】
前記刈刃１，及び刈刃取付プレート７の回り止めとして、これら刈刃取付プレート７や刈刃１に形成のピン孔３４に、モーアデッキ１２等の刈取カバー部に設けられる固定ピンを差込んで、これら刈刃取付プレート７等の回動を係止固定することもできる。この固定ピンは、モーアデッキ１２上のピンホルダに上下動可能に支持して、上端を把持して上下に抜き差しするものである。この固定ピンを刈刃を刈刃取付プレート７等のピン孔３４に差込むことによって、これら刈刃取付プレート７や刈刃１等の刈刃軸１３周りの回動を係止して、ナット３を回動操作することができ、安全な刈刃１の交換作業を行うことができる。
【図面の簡単な説明】
【００１５】
【図１】刈刃交換具の斜視図。
【図２】その平面図。
【図３】モーアの側面図。
【図４】その刈刃部の側面図と、取付分解斜視図。
【図５】一部別例を示す刈刃ソケット部の平面図と、側面図。
【符号の説明】
【００１６】
１    刈刃
２    ボルト
３    ナット
４    ボルト案内溝
５    刈刃ソケット
６    ハンドル
【図１】
2008054568.tif 000003
【図２】
2008054568.tif 000004
【図３】
2008054568.tif 000005
【図４】
2008054568.tif 000006
【図５】
2008054568.tif 000007